(57)【要約】【課題】各制振用マスの支持安定性を確保しながら、上下方向の全体寸法サイズを小さくすることができる構造の、多重直列型チューンドマスダンパーを提供する。【解決手段】制振対象物１２の側に第１板バネ５を介して第１制振用マス３が取り付けられると共に、該第１マス３に第２板バネを介して第２制振用マス４が取り付けられて、振動対象物１２の水平振動を減衰するようになされた多重直列型チューンドマスダンパー１を対象とし、第１，第２の制振用マス３，４が、それらの高さ寸法範囲を上下方向に重ならせるようにして備えられている。【選択図】      図１
2005282815.tif 000002
【特許請求の範囲】
【請求項１】
制振対象物の側に第１復元機構を介して第１制振用マスが取り付けられると共に、該第１マスに第２復元機構を介して第２制振用マスが取り付けられて、振動対象物の水平振動を減衰するようになされた多重直列型チューンドマスダンパーにおいて、
前記第１，第２の制振用マスが、それらの高さ寸法範囲を上下方向に重ならせるようにして備えられていることを特徴とする多重直列型チューンドマスダンパー。
【請求項２】
前記第１，第２の復元機構がそれぞれ板面を垂直にして互いに同じ方向に向けた板バネからなり、
第１板バネの上端部が制振対象物の側に固着状態に取り付けられると共に、該第１板バネの下端部が第１制振用マスに固着状態に取り付けられ、かつ、
第２板バネの上端部が、第１制振用マスに上方突出状態に備えられた取付け部に固着状態に取り付けられる共に、該第２板バネの下端部が第２制振用マスに取り付けられて、第１，第２の制振用マスが、それらの高さ寸法範囲を上下方向に重ならせるようにして備えられている請求項１に記載の多重直列型チューンドマスダンパー。
【請求項３】
第２板バネの上端部を取り付けている第１制振用マス上の取付け部が、制振対象物の側よりも上方に突出しないように備えられている請求項２に記載の多重直列型チューンドマスダンパー。
【発明の詳細な説明】
【技術分野】
【０００１】
本発明は、多重直列型チューンドマスダンパーに関する。
【背景技術】
【０００２】
従来より種々のチューンドマスダンパーが提供されているが、そのなかでも、制振対象物の側に第１復元機構を介して第１制振用マスが取り付けられると共に、該第１マスに第２復元機構を介して第２制振用マスが取り付けられた、多重直列型チューンドマスダンパーは、非常に高い制振効果を発揮することができる。
【発明の開示】
【発明が解決しようとする課題】
【０００３】
しかしながら、上記の多重直列型チューンドマスダンパーを、振動対象物の水平振動を減衰するのに用いる場合に、第１制振用マスと第２制振用マスとを上下方向に直列に配設すると、機器の上下方向の寸法が大きくなってしまい、例えば、家屋の天井裏などのような上下方向のスペースが狭いところへの設置が困難になってしまう場合がある。
【０００４】
そこで、各制振用マスの平面二次元方向のサイズを大きくすることで高さ方向の寸法を小さくし、それによって機器の上下方向の寸法を小さく抑えることも考えられるが、それでは、制振用マスの平面二次元方向のサイズが大きくなって、制振用マスの支持安定性が損なわれやすくなってしまうという問題がある。
【０００５】
本発明は、上記のような問題点に鑑み、各制振用マスの支持安定性を確保しながら、上下方向の全体寸法サイズを小さくすることができる構造の、多重直列型チューンドマスダンパーを提供することを課題とする。
【課題を解決するための手段】
【０００６】
上記の課題は、制振対象物の側に第１復元機構を介して第１制振用マスが取り付けられると共に、該第１マスに第２復元機構を介して第２制振用マスが取り付けられて、振動対象物の水平振動を減衰するようになされた多重直列型チューンドマスダンパーにおいて、
前記第１，第２の制振用マスが、それらの高さ寸法範囲を上下方向に重ならせるようにして備えられていることを特徴とする多重直列型チューンドマスダンパーによって解決される。
【０００７】
このチューンドマスダンパーでは、第１，第２の制振用マスが、それらの高さ寸法範囲を上下方向に重ならせるようにして備えられているので、各制振用マスの高さ寸法を小さくしなくても、全体の高さ寸法サイズを小さくすることができる。しかも、各制振用マスの高さ寸法をこのように小さくしなくてもよいので、各制振用マスの支持安定性を容易に確保することができる。
【０００８】
また、上記の多重直列型チューンドマスダンパーにおいて、第１，第２の復元機構がそれぞれ板面を垂直にして互いに同じ方向に向けた板バネからなり、
第１板バネの上端部が制振対象物の側に固着状態に取り付けられると共に、該第１板バネの下端部が第１制振用マスに固着状態に取り付けられ、かつ、
第２板バネの上端部が、第１制振用マスに上方突出状態に備えられた取付け部に固着状態に取り付けられる共に、該第２板バネの下端部が第２制振用マスに取り付けられて、第１，第２の制振用マスが、それらの高さ寸法範囲を上下方向に重ならせるようにして備えられているのもよい。
【０００９】
この場合は、板バネを復元機構に用いた構造のなかで、全体の高さ寸法サイズを合理的に小さくすることができる。
【００１０】
のみならず、制振対象物の振動が板バネの板面と直交する水平方向であるときは、板バネが撓み振動をして、制振用マスとの協働により、制振対象物の振動を減衰することはもちろん、制振対象物の振動が板バネの板面と平行な水平方向であるときは、各板バネの上下両端が固定であるので、板バネそれ自体の剛性によって、各制振用マスを振動対象物と一体的に動作させることができる。
【００１１】
しかも、各制振用マスは各板バネに吊られているので、温度変化のある環境下で使用しても、温度変化による板バネの伸縮が拘束されず、そのため周波数が変化せず、振動の減衰を安定良く行うことができる。
【００１２】
加えて、制振用マスを板バネに吊る構造であるので、圧縮には弱く引っ張りには強い板バネの特性を生かして、制振用マスの選択可能な重量範囲を大きくすることができ、チューニングの幅を大きく確保することができる。
【００１３】
また、第２板バネの上端部を取り付けている第１制振用マス上の取付け部が、制振対象物の側よりも上方に突出しないように備えられている場合は、第２制振用マスも板バネ吊り構造としながら、多重直列型チューンドマスダンパーを第２制振用マスを備えない場合と遜色のない高さ寸法に抑えることができる。
【発明の効果】
【００１４】
本発明は、以上のとおりのものであるから、各制振用マスの支持安定性を確保しながら、上下方向の全体寸法サイズを小さくすることができる。
【発明を実施するための最良の形態】
【００１５】
次に、本発明の実施最良形態を図面に基づいて説明する。
【００１６】
図１〜図４に示す多重直列型チューンドマスダンパー１において、２は振動対象物の側としての設置ベース、３は第１制振用マス、４は第２制振用マス、５…は第１減衰機構としての第１板バネ、６は第２減衰機構としての第２板バネである。
【００１７】
設置ベース２は、所定の間隔をおいた横向き開口の対の溝形鋼２ａ，２ａと、該溝形鋼２ａ，２ａの上に、向きを９０°異ならせて互いに所定の間隔をおいて固定で設置された対の山形鋼２ｂ，２ｂとで、平面視「口」の字形に構成されているもので、対の山形鋼２ｂ，２ｂは、立ち上がり板部を外側に位置させるようにして備えられている。
【００１８】
第１制振用マス３は、マス本体部分を構成する二つのマス体７，７に分割され、これら分割マス体７，７を、取付け部としての対の山形鋼８，８で一体化したもので、各分割マス体７は、設置ベース２の下半部を構成する溝形鋼２ａ，２ａの高さ寸法範囲内に収まる高さ寸法をした、平面視長方形状のマス体からなっている。
【００１９】
そして、これら分割マス体７，７は、長辺部間にスペースをおくように並列され、対の山形鋼８，８は、互いに所定の間隔をおいて、これら分割マス体７，７の上面側に、立ち上がり部を外側に位置させるようにして横架状態に設置され、両分割マス体７，７を連結一体化している。これら対の山形鋼８，８は、二つの分割マス体７，７を設置ベース２の下半部を構成する溝形鋼２ａ，２ａの高さ寸法範囲内に収めた状態で、設置ベース２の上半部を構成する対の山形鋼２ｂ，２ｂの高さ寸法範囲内に収まるように寸法設計されている。９は補強リブである。
【００２０】
第２制振用マス４は、第１制振用マス３の分割マス体７と同様に、設置ベース２の下半部を構成する溝形鋼２ａ，２ａの高さ寸法範囲内に収まる高さ寸法をした、平面視長方形状のマス体からなっていて、第１制振用マス３の分割マス体７，７間のスペース内に収容できる立体サイズに設計されている。
【００２１】
そして、上記の第１制振用マス３の各分割マス体７，７の両端面部の合計４カ所にはそれぞれ、板面方向を垂直にした第１板バネ５…の下端部が、上端部を各分割マス体７，７の上方に突出させるようにして、ボルト１０…等で固着状態に取り付けられている。
【００２２】
また、第２制振用マス４の両端面部の合計２カ所にもそれぞれ、板面方向を垂直にした第２板バネ６…の下端部が、上端部を第２制振用マス４の上方に突出させるようにして、ボルト１０…等で固着状態に取り付けられている。
【００２３】
そして、第１制振用マス３の各第１板バネ５…の上端部が、板面を設置ベース２の下半部を構成する溝形鋼２ａ，２ａの延びる方向と直交させて、設置ベース２の上半部を構成する山形鋼２ｂ，２ｂの立ち上がり板部の外面側の左右にボルト１０…等で固着状態に取り付けられ、それにより、第１制振用マス３の各分割マス体７，７は、設置ベース２の下半部を構成する溝形鋼２ａ，２ａ間のスペース内に、第１板バネ５…に吊られた状態となって収容されている。第１制振用マス３の各分割マス体７，７は、この収容状態において、設置ベース２の溝形鋼２ａ，２ａ間で、第１板バネ５…の撓み振動を伴いながら、これら溝形鋼２ａ，２ａと平行な水平方向に振動動作をすることができるようになされている。
【００２４】
また、第２制振用マス４の各第２板バネ６…の上端部が、板面を第１板バネ５…と同じくするようにして、第１制振用マス３の上半部を構成する山形鋼８，８の立ち上がり板部の外面側にボルト１０…等で固着状態に取り付けられ、それにより、第２制振用マス４は、設置ベース２の下半部を構成する溝形鋼２ａ，２ａ間のスペース内における第１制振用マス３の分割マス体７，７間に、第２板バネ６…に吊られた状態となって収容されている。これにより、第２制振用マス４は、第１制振用マス３のマス本体７，７の高さ寸法範囲内に収まるように備えられている。第２制振用マス４は、この収容状態において、第１制振用マス３の分割マス体７，７間で、第２板バネ６…の撓み振動を伴いながら、第１制振用マス３と同様に設置ベース２の溝形鋼２ａ，２ａと平行な水平方向に振動動作をすることができるようになされている。
【００２５】
なお、１１…はスペーサーであり、第１，第２の板バネ５…，６…がその板面と直交する水平方向に撓み振動する際のスパンを長く確保すると共に、撓み振動をするためのスペースを確保するものである。
【００２６】
上記の多重直列型チューンドマスダンパー１は、例えば、制振対象物としての例えば戸建て住宅等の建物１２の小屋裏に設置ベース２を固定して設置し、図４（ロ）（ハ）に示すように、建物１２が風や交通振動、地震等によって板バネ５…，６…の板面と直交する水平方向に振動をすると、第１，第２の板バネ５…，６…が撓み振動をして、第１、第２の制振用マス３，４との協働により、その振動を減衰する。
【００２７】
また、建物１２の振動が板バネ５…，６…の板面と平行な水平方向であるときは、各板バネ５…，６…の上下両端が固定であるので、板バネ５…，６…それ自体の剛性によって、各制振用マス３，４を建物１２と一体的に動作させることができる。
【００２８】
しかも、各制振用マス３，４は各板バネ５…，６…に吊られているので、温度変化のある環境下、例えば家屋の小屋裏等で使用しても、温度変化による板バネ５…，６…の伸縮が拘束されず、そのため周波数が変化せず、振動の減衰を安定良く行うことができる。加えて、制振用マス３，４を板バネ５…，６…に吊る構造であるので、圧縮には弱く引っ張りには強い板バネの特性を生かして、制振用マス３，４の選択可能な重量範囲を大きくすることができ、チューニングの幅を大きく確保することができる。
【００２９】
そして、上記の多重直列型チューンドマスダンパー１では、第２制振用マス４が、第１制振用マス３、即ち分割マス体７，７の高さ寸法範囲内に収まるように備えられているので、各制振用マス３，４の高さ寸法を小さくしなくても、全体の高さ寸法サイズを小さくすることができる。しかも、各制振用マスの高さ寸法をこのように小さくしなくてもよいので、多重直列型チューンドマスダンパー１内における各制振用マス３，４の支持安定性を容易に確保することができる。
【００３０】
特に、本実施形態では、板バネ５…，６…を復元機構に用いた吊りマス構造を採用するなかで、全体の高さ寸法サイズを合理的に小さくすることができる。とりわけ、第２板バネ６…の上端部を取り付けている第１制振用マス３上の山形鋼９，９がが、制振対象物の側である設置ベース２の上半部を構成する山形鋼２ｂ，２ｂよりも上方に突出しないように備えられているので、第２制振用マス４も板バネ吊り構造としながら、多重直列型チューンドマスダンパー１を第２制振用マス４を備えない場合と遜色のない高さ寸法に抑えることができる。
【００３１】
以上に、本発明の実施形態を示したが、本発明はこれに限られるものではなく、発明思想を逸脱しない範囲で各種の変更が可能である。例えば、上記の実施形態では、第１制振用マス３を複数の分割マス体７，７に分割して、第２制振用マス４の設置スペースを確保した場合を示しているが、第１制振用マスを分割せずにくりぬき状に構成してその内部に第２制振用マスを収容するようにしてもよいし、また、第１制振用マスを分割せずにその両サイドに第２制振用マスを備えさせるようにしてもよい。
【００３２】
また、上記の実施形態では、第２制振用マス４が、第１制振用マス３のマス本体部分である分割マス体７，７の高さ寸法範囲に収まるように構成されているが、第２制振用マス４の高さ方向の一部のみが、第１制振用マス３の分割マス体７，７の高さ寸法範囲に収まるように構成されていてもよい。
【００３３】
また、上記の実施形態では、親子の二重直列型に構成した場合を示しているが、親子孫や親子孫曾孫などのように第３，第４等の制振用マスを備えさせて三重以上の多重直列型に構成されていてもよく、その場合も、第３、第４等の制振用マスは、それらの高さ寸法範囲が第１，第２の制振用マスと上下方向において重なるように備えられているとよい。
【００３４】
更に、上記の実施形態では、復元機構として板バネを用いた場合を示しているが、振り子式であってもよいし、スライダーとコイルスプリングを組み合わせたものであってもよいし、ゴム支承式のものであってもよいし、各種復元機構を採用する多重直列型チューンドマスダンパーに広く適用することができるものである。
【図面の簡単な説明】
【００３５】
【図１】実施形態の多重直列型チューンドマスダンパーを示すもので、図（イ）は平面図、図（ロ）は正面図である。
【図２】図（イ）は同側面図、図（ロ）は設置ベースを省略した状態の側面図である。
【図３】同分解斜視図である。
【図４】図（イ）は同断面正面図、図（ロ）及び図（ハ）はそれぞれ多重直列型チューンドマスダンパーの動作を示す断面正面図である。
【符号の説明】
【００３６】
１…多重直列型チューンドマスダンパー
２…設置ベース（制振対象物の側）
３…第１制振用マス
４…第２制振用マス
５…第１板バネ（第１復元機構）
６…第２板バネ（第２復元機構）
７…分割マス体（マス本体）
８…山形鋼（取付け部）
１２…建物（制振対象物）
【図１】
2005282815.tif 000003
【図２】
2005282815.tif 000004
【図３】
2005282815.tif 000005
【図４】
2005282815.tif 000006